(57)【特許請求の範囲】
【請求項１】
電話構内交換機の回線を用いたデータ収集システムの回線接続方法において、前記回線を発呼側と被呼側との間で接続するに際して、データ伝送の場合には、発呼側の動作に応じて前記電話構内交換機から被呼側へ送出される電話の呼出信号のリングバックトーンを発呼側で受信することにより回線を直ちに一旦切断し、一定時間後再度電話の呼出信号を被呼側へ再発呼し、前記切断から一定時間後の再発呼の回数が１以上の所定回数に達することによって被呼側がデータ伝送のための接続要求であると判別し、電話の場合には、発呼側の動作に応じて前記電話構内交換機から被呼側へ送出される電話の呼出信号を複数周期受信することによって被呼側が電話のための接続要求であると判別すると共に、被呼側が、前記判別結果を得るまではデータ伝送接続状態と電話機接続状態のいずれの回線接続状態にもならず、前記判別結果に応じて、データ伝送接続状態と電話機接続状態のいずれかの回線接続状態になるようにしたことを特徴とする、電話構内交換機の回線を用いたデータ収集システムの回線接続方法。
【請求項２】
被呼側が前記データ伝送接続状態になると同時に応答状態となり、前記電話機接続状態では電話機の応答を検出するようにした、請求項１記載の電話構内交換機の回線を用いたデータ収集システムの回線接続方法。
【請求項３】
電話構内交換機の回線を用いたデータ収集システムのデータ端末器毎に設置される回線接続装置であって、受信した呼出信号を検出する呼出信号検出手段と、発呼側の動作に応じて前記電話構内交換機から被呼側へ送出される電話の呼出信号がデータ伝送の場合には発呼側で一旦切断され、一定時間後再度電話の呼出信号が被呼側へ再発呼され、前記切断から一定時間後の再発呼の回数が１以上の所定回数に達することによって被呼側がデータ伝送のための接続要求であると判別し、発呼側の動作に応じて前記電話構内交換機から被呼側へ送出される電話の呼出信号を複数周期受信することによって被呼側が電話のための接続要求であると判別する判別手段と、該判別手段による判別結果が得られるまでは前記電話構内交換機の回線をデータ伝送手段と電話機のいずれにも接続していない状態とし、前記判別手段によりデータ伝送のための接続要求であると判別された場合には、前記電話構内交換機の回線を前記データ伝送手段に接続し、前記判別手段により電話のための接続要求であると判別された場合には、前記電話構内交換機の回線を前記電話機に接続する切替手段とを備えたことを特徴とする回線接続装置。
【発明の詳細な説明】
【０００１】
【発明の属する技術分野】
本発明は、工場や事業所ビルなどにおける温湿度管理、設備温度計測・状態監視・制御、集中検針その他に利用される、電話構内交換機の回線をデータ伝送線路として共用するデータ収集システムの回線接続方法および回線接続装置の改良に関するものである。
【０００２】
【従来の技術】
電話構内交換機に収容される電話回線を利用して、企業内における各種データの収集を行う企業内データ収集システムは、通常経済化のためにデータ伝送線路として回線を電話回線と共用することから、通話の場合とデータ収集の場合とで何らかの回線切替手段が必要となる。
【０００３】
図８および図９は、電話交換とデータ交換とを、電話回線を共用して行う電話構内交換機の従来の中継方式を示す図である。
【０００４】
図８は、データ交換の場合は電話構内交換機によらず、データ伝送用の音声帯域外の信号を交換させるデータ専用交換機を別に設置する場合の中継方式を示す図であり、データの収集は音声帯域外のキャリア信号により行われる。すなわち、データ交換の場合は電話構内交換機ＰＢＸによらず、データ伝送用の音声帯域外の信号を交換させるデータ専用交換機ＤＥＸを別に設置し、かつ、電話の通話に使用される帯域とデータ伝送用のキャリア帯域を共通の回線に分離／結合するための回線装置ＴＲＫが各箇所に設置される。なお、ＰＣはデータセンターであるコンピュータ、ＤＴはデータ端末器、ＭＯＤはデータのデジタル信号をキャリア信号に変調または復調する変復調装置であり、ＴＥＬは電話構内交換機ＰＢＸの内線電話機である。
【０００５】
また、図９は、電話とデータ収集の接続のために、回線をそれぞれ電話機またはデータ端末器が接続される変復調装置に切り替え接続する装置（一般に網制御装置と称する）を使用する場合の中継方式を示す図である。
【０００６】
図９において、データセンターとしてのコンピュータＰＣに網制御装置ＮＣＵ１が変復調装置ＭＯＤ１を介して接続されており、コンピュータＰＣが網制御装置ＮＣＵ２に接続されている変復調装置ＭＯＤ２を介してデータ端末器ＤＴ１からデータ収集を行う場合、コンピュータＰＣは網制御装置ＮＣＵ１を介して構内交換機ＰＢＸを起動し、網制御装置ＮＣＵ２を呼び出す。網制御装置ＮＣＵ２は電話構内交換機ＰＢＸからの呼出信号（リンギング信号）を検出し、自らの回線に接続要求があることを認識し、応答（オフフック）する。なお、この時点ではその呼びが電話通話の要求であるのかデータ収集の要求であるのか不明であることから、網制御装置ＮＣＵ２はそれに接続されている電話機ＴＥＬ２に対しては呼出信号を送出しない。
【０００７】
網制御装置ＮＣＵ２は応答後一定時間以内に網制御装置ＮＣＵ１から発信される切替信号を検出することにより、その接続要求がデータ収集のためのものであることを識別して、回線を変復調装置ＭＯＤ２側に切り替えることにより、データ収集が行われる。
【０００８】
また、網制御装置ＮＣＵ１に接続された電話機ＴＥＬ１や不図示の他の通常の電話機から網制御装置ＮＣＵ２に接続された電話機ＴＥＬ２を呼び出す場合は、網制御装置ＮＣＵ２で呼出信号を検出して一旦応答し、一定時間内に切替信号が受信されないことで電話通話の接続要求と識別して、網制御装置ＮＣＵ２が自ら呼出信号を発生して電話機ＴＥＬ２のベルを鳴動させ、電話機ＴＥＬ２が応答する。このように、通話とデータ伝送との自動切替を行うことにより、１本の回線を電話用とデータ伝送用とに、あるいは、さらにファクシミリなど他の複数の機器で共用することができる。
【０００９】
【発明が解決しようとする課題】
図８に示すように、データ交換のために電話構内交換機ＰＢＸによらず、データ伝送用の音声帯域外の信号を交換させるデータ専用交換機ＤＥＸを別に設置する場合は、電話の通話に使用されている帯域とデータ伝送用のキャリア帯域を回線に分離／結合するための回線装置ＴＲＫが、図８に示すような各箇所に必要となり、かつ、データ専用交換機ＤＥＸが別に必要となるなどにより、当然のことながら、それだけの多額の設備投資が必要となる。
【００１０】
また、図９に示す従来の方式において、たとえば、図９における網制御装置ＮＣＵ１に接続された電話機ＴＥＬ１や不図示の他の通常の電話機から網制御装置ＮＣＵ２に接続された電話機ＴＥＬ２を呼び出す場合、網制御装置ＮＣＵ２が自動応答（オフフック）して、データ収集用の接続要求でないと識別した場合は、電話機ＴＥＬ２を呼び出さなければならず、この場合は電話構内交換機ＰＢＸ側から呼出信号がこないので、網制御装置ＮＣＵ２（他の網制御装置ＮＣＵ１，ＮＣＵ３も同じ）には呼出信号を発生させる手段を搭載する必要があり、それだけ高価になり、かつ形状が大きくなる。
【００１１】
さらに、網制御装置ＮＣＵ１に接続されている電話機ＴＥＬ１やその他の通常の電話機から、網制御装置ＮＣＵ２に接続されている電話機ＴＥＬ２を呼び出して、この電話機ＴＥＬ２で応答したが、呼び出された人が不在であり、仮に網制御装置ＮＣＵ３に接続される電話機ＴＥＬ３の場所に移動していると思い、電話機ＴＥＬ２の応答者が電話構内交換機ＰＢＸの電話転送機能を用いて電話を網制御装置ＮＣＵ３に接続される電話機ＴＥＬ３に転送しようとした場合、網制御装置ＮＣＵ３は一旦応答し、一定時間内に切替信号が到来しないので電話機ＴＥＬ３のベルを鳴動させる。しかし、電話機ＴＥＬ３が設置されているところに誰もいない場合には、電話機ＴＥＬ３において網制御装置ＮＣＵ３が一旦応答（オフフック）した回線を切断できず、網制御装置ＮＣＵ２側で電話の転送をキャンセルすることが不能となる。そのため、網制御装置ＮＣＵ３の電話機ＴＥＬ３を切断（オンフック）しに行くか、または電話を発呼した網制御装置ＮＣＵ１側で回線を切断（オンフック）するしかない。このように、従来の網制御装置では、電話転送機能を有する電話構内交換機における使用に不都合があった。
（発明の目的）
本発明の第１の目的は、データ収集システムを経済的且つ容易に構築することができる、電話構内交換機の回線を用いたデータ収集システムの回線接続方法及び回線接続装置を提供することである。
【００１２】
本発明の第２の目的は、電話構内交換機の電話転送機能の使用にも不都合を生じない、電話構内交換機の回線を用いたデータ収集システムの回線接続方法を提供することである。
【００１３】
【課題を解決するための手段】
上記第１の目的を達成するために、請求項１記載の本発明は、電話構内交換機の回線を用いたデータ収集システムの回線接続方法において、前記回線を発呼側と被呼側との間で接続するに際して、データ伝送の場合には、発呼側の動作に応じて前記電話構内交換機から被呼側へ送出される電話の呼出信号のリングバックトーンを発呼側で受信することにより回線を直ちに一旦切断し、一定時間後再度電話の呼出信号を被呼側へ再発呼し、前記切断から一定時間後の再発呼の回数が１以上の所定回数に達することによって被呼側がデータ伝送のための接続要求であると判別し、電話の場合には、発呼側の動作に応じて前記電話構内交換機から被呼側へ送出される電話の呼出信号を複数周期受信することによって被呼側が電話のための接続要求であると判別すると共に、被呼側が、前記判別結果を得るまではデータ伝送接続状態と電話機接続状態のいずれの回線接続状態にもならず、前記判別結果に応じて、データ伝送接続状態と電話機接続状態のいずれかの回線接続状態になるようにしたことを特徴とするものである。
また、上記第１の目的を達成するために、請求項３記載の本発明は、電話構内交換機の回線を用いたデータ収集システムのデータ端末器毎に設置される回線接続装置であって、受信した呼出信号を検出する呼出信号検出手段と、発呼側の動作に応じて前記電話構内交換機から被呼側へ送出される電話の呼出信号がデータ伝送の場合には発呼側で一旦切断され、一定時間後再度電話の呼出信号が被呼側へ再発呼され、前記切断から一定時間後の再発呼の回数が１以上の所定回数に達することによって被呼側がデータ伝送のための接続要求であると判別し、発呼側の動作に応じて前記電話構内交換機から被呼側へ送出される電話の呼出信号を複数周期受信することによって被呼側が電話のための接続要求であると判別する判別手段と、該判別手段による判別結果が得られるまでは前記電話構内交換機の回線をデータ伝送手段と電話機のいずれにも接続していない状態とし、前記判別手段によりデータ伝送のための接続要求であると判別された場合には、前記電話構内交換機の回線を前記データ伝送手段に接続し、前記判別手段により電話のための接続要求であると判別された場合には、前記電話構内交換機の回線を前記電話機に接続する切替手段とを備えたことを特徴とするものである。
【００１４】また、上記第２の目的を達成するために、請求項２記載の本発明は、被呼側が前記データ伝送接続状態になると同時に応答状態となり、前記電話機接続状態では電話機の応答を検出するようにしたことを特徴とするものである。
【００１５】
【発明の実施の形態】
図１は、本発明の実施の一形態である、電話構内交換機の回線を用いたデータ収集システムの回線接続方法に基づくシステム構成の一例を示す図である。
【００１６】
図１において、ＰＢＸは電話構内交換機、ＴＥＬ１〜３は電話機、ＤＴ１，２は温度センサなどのデータ端末器、ＤＣはパーソナルコンピュータなどのデータ収集センター、そして、ＣＯＮ１〜３は回線接続装置であり、通話およびデータ伝送の要求に従って、回線を電話機ＴＥＬ１〜３側およびデータ収集センターＤＣまたはデータ端末器ＤＴ１，２側に切り替える機能を有するものである。
【００１７】
図２は、図１における回線接続装置のブロック図であり、本例では、回線の網制御機能および信号の変復調機能を併合的に具備するものとして示している。
【００１８】
図２に示す回線接続装置ＣＯＮにおいて、呼出信号検出回路ＲＤは、図１の電話構内交換機ＰＢＸから回線端子Ｌに現れる呼出信号（リンギング信号）を検出し、その情報をマイクロコンピュータＣＰＵに伝達する。電話機側オフフック検出回路ＯＦは、電話機端子Ｐに接続される電話機（図１におけるＴＥＬ１〜３）の発呼／応答（オフフック）状態を検出し、マイクロコンピュータＣＰＵに伝達する。オフフック検出用電源ＰＷは、電話機側オフフック検出回路ＯＦを動作させるための直流電源である。データ側オフフックトランスＴは、マイクロコンピュータＣＰＵの制御により、データ収集時は接点ｄを閉じて回線端子Ｌに対して直流ループを形成して応答（オフフック）状態をつくり出すと同時に、その２次側が変復調装置ＭＯＤを介してマイクロコンピュータＣＰＵに接続されるデータ伝送接続状態となり、データはマイクロコンピュータＣＰＵから回線へ、あるいは、回線からマイクロコンピュータＣＰＵへ、変復調装置ＭＯＤを介して送られる。接点ｘは、接点ｄとは排他的に動作して電話機端子Ｐを回線端子Ｌに接続するための接点であり、マイクロコンピュータＣＰＵにより制御され、接点ｘは平常状態では図２の実線の側に位置しているが、電話機端子Ｐに接続される電話機（図１のＴＥＬ１〜３）の発呼（オフフック）により電話機側オフフック検出回路ＯＦがオフフックを検出すると、マイクロコンピュータＣＰＵの制御により図２の点線の方向に移動して電話機（図１のＴＥＬ１〜３）を回線端子Ｌに接続すると共に、通話用の呼出信号の到来の際にはマイクロコンピュータＣＰＵの制御によって図２の点線の方向に移動し、回線端子Ｌを電話機端子Ｐに接続する。マイクロコンピュータＣＰＵは、インターフェースＩＦを介して入出力端子ＩＯにより図１に示されるデータ収集センターＤＣまたはデータ端末器ＤＴ１，ＤＴ２に接続され、これらとの間で、伝送しようとするデータを入力し、または、伝送されたデータを出力する。なお、インターフェースＩＦとしては、たとえば、ＲＳ−２３２Ｃ等の標準インターフェースが用いられるが、インターフェースＩＦを必要としない場合もある。
【００１９】
図３および図４は、図１のシステム構成により図２の回線接続装置を用いて行う、通話およびデータ伝送のための回線の自動切替動作を説明するタイムチャートであり、図３は通話のための接続動作、図４はデータ伝送のための接続動作を示すタイムチャートである。
【００２０】
まず、通話の場合の接続動作について説明する。図５は、通話の場合の回線接続動作を説明するフローチャートである。
【００２１】
図１において電話機ＴＥＬ１が発呼すると、回線接続装置ＣＯＮ１のオフフック検出用電源ＰＷより直流電流が電話機側オフフック検出回路ＯＦに流れるので、オフフック検出が行われ、それに応じてマイクロコンピュータＣＰＵは接点ｘを点線側に切り替える。電話機端子Ｐが回線端子Ｌに接続されることにより電話機ＴＥＬ１が電話構内交換機ＰＢＸを起動し、電話構内交換機ＰＢＸから電話機ＴＥＬ１に対して発信音（ダイアルトーン）が発出される。
【００２２】
ここでは電話機ＴＥＬ２を呼び出すため、その内線番号がダイアルされたものとすると、電話機ＴＥＬ２が接続されている回線接続装置ＣＯＮ２に着信して、呼出信号検出回路ＲＤが電話構内交換機ＰＢＸからの呼出信号（リンギング信号）を検出する。電話の呼出信号の形式は技術基準により定められており、１秒オン・２秒オフの繰り返し信号として被呼側に到来する。被呼側である電話機ＴＥＬ２が接続される回線接続装置ＣＯＮ２のマイクロコンピュータＣＰＵは、１秒オン・２秒オフの繰り返しの形の信号を２回受信すると、呼出信号の間隔が２秒であることにより通話の要求と識別して接点ｘを点線側に切り替え、回線端子Ｌを電話機端子Ｐに接続する。これにより電話構内交換機ＰＢＸからの呼出信号が直接電話機ＴＥＬ２に達し、電話機ＴＥＬ２のベルを鳴動させることにより、電話機ＴＥＬ２に対する通常の着信状態を現出するので、近くに居る人が電話機ＴＥＬ２に応答（オフフック）することにより通話が行われる。電話機ＴＥＬ２が応答すると、電話構内交換機ＰＢＸから供給される直流電流が回線接続装置ＣＯＮ２の電話機側オフフック検出回路ＯＦに流れるので、オフフック検出が行われ、マイクロコンピュータＣＰＵが被呼側としての応答（オフフック）を認識する。
【００２３】
図３においては、回線接続装置ＣＯＮ２の呼出信号検出回路ＲＤが２周期分の呼出信号（１秒オン・２秒オフ）を検出したところで、マイクロコンピュータＣＰＵが呼出信号の間隔が２秒であることにより電話通話の要求と識別して回路を電話機端子Ｐに切り替え、電話機ＴＥＬ２では後続の呼出信号によりベルが鳴動を開始し、電話機ＴＥＬ２のベルの鳴動により被呼側が応答（オフフック）して通話を行い、通話の終了によりオンフックした状態を示している。
【００２４】
オンフック、すなわちオフフック状態の終了が電話機側オフフック検出回路ＯＦによりマイクロコンピュータＣＰＵに伝えられると、マイクロコンピュータＣＰＵは通話の終了を認識する。
【００２５】
電話が電話機ＴＥＬ２から電話機ＴＥＬ３に転送された時に、電話機ＴＥＬ３が応答（オフフック）しない場合、回線接続装置ＣＯＮ３はオフフックを検出していないので、呼出信号の送出が止まれば、回線接続装置ＣＯＮ３のマイクロコンピュータＣＰＵは、呼出信号検出回路ＲＤからの検出信号の入力がなくなることに応じて、接点ｘを点線側から実線側に戻す。これにより、次の通話またはデータ伝送を待機する状態となる。
【００２６】
次に、データ伝送を行う場合の回線接続方法について説明する。図６および図７は、データ伝送の場合の回線接続動作を説明するフローチャートである。
【００２７】
この場合の回線接続制御は、データ収集センターＤＣまたはデータ端末器ＤＴ１，２により自動的に行われる。一例として、データ収集センターＤＣが、回線接続装置ＣＯＮ３に収容されているデータ端末器ＤＴ２からのデータを収集するものとする。
【００２８】
まず、データ収集センターＤＣが回線接続装置ＣＯＮ１にデータ端末器ＤＴ２からのデータ収集を指令すると、マイクロコンピュータＣＰＵは発呼（オフフック）して被呼側である電話機ＴＥＬ３のダイアル番号を送出する。回線接続装置ＣＯＮ３は電話機ＴＥＬ３の番号により呼び出され、回線接続装置ＣＯＮ３の呼出信号検出回路ＲＤが呼出信号（１秒オン・２秒オフ）の検出を開始するが、呼出信号と同期して電話構内交換機ＰＢＸから発呼側に送出される呼出音（リングバックトーン）を回線接続装置ＣＯＮ１が受信すると、直ちに回線を一旦切断する。これにより、回線接続装置ＣＯＮ３ではマイクロコンピュータＣＰＵは呼出信号を通話のための要求であると識別せずに、回線接続装置ＣＯＮ３の呼出信号検出回路ＲＤが１秒オンの呼出信号を１個受信した後に次の呼出信号を受信するまでの時間間隔を計時しはじめる。
【００２９】
回線接続装置ＣＯＮ１では、一定時間（たとえば、３秒以上１０秒以下）待機の後再発呼して回線接続装置ＣＯＮ３に収容されているデータ端末器ＤＴ２の番号（電話機ＴＥＬ３の番号）をリダイヤルする。そして、前回と同様、呼出信号と同期して電話構内交換機ＰＢＸから発呼側に送出される呼出音を回線接続装置ＣＯＮ１が受信すると、再び回線を一旦切断する。これにより、回線接続装置ＣＯＮ３では、１回目の呼出信号と今回の呼出信号の時間間隔が前記一定時間であるか否かを判定し、一定時間であればカウント１とする。
【００３０】
次いで、回線接続装置ＣＯＮ１は、前２回と同様に再々発呼して回線接続装置ＣＯＮ３に収容されているデータ端末器ＤＴ２の番号（電話機ＴＥＬ３の番号）をリダイヤルする。しかし、前２回までのように、呼出音を受信しても回線を切断しない。一方、回線接続装置ＣＯＮ３では、マイクロコンピュータＣＰＵは２回目の呼出信号と今回の呼出信号の時間間隔が前記一定時間であるか否かを判定し、一定時間であればカウント２とする。このカウント２となることにより、データ伝送のための接続要求であると識別する。そして、データ側オフフックトランスＴの接点ｄを閉じてデータ側オフフックトランスＴの１次側により回線端子Ｌに対して直流のループを形成して応答（オフフック）すると共に、データ伝送に備えて回線を交流的に後位の変復調装置ＭＯＤに接続する。
【００３１】
これにより、以後、回線接続装置ＣＯＮ１に収容されるデータ収集センターＤＣと、回線接続装置ＣＯＮ３に収容されるデータ端末器ＤＴ２との間で、データの伝送が行われる。
【００３２】
以上のように、データ収集の要求のために発呼・再発呼を３回繰り返すのは、誤ダイアルを区別するためであり、３秒以上１０秒以下の一定時間の時間間隔を１回カウントして、カウント１の時点でデータ収集のための接続要求を識別してもよい。なお、電話の技術基準により、４回以上連続して発呼・再発呼を行うことは禁止されている。
【００３３】
なお、上述の回線接続方法から明らかなように、通話の要求とデータ伝送の要求とが同時に発生するときは、常に通話のための接続がデータ伝送のための接続に優先される。
【００３４】
このように、通常の電話による通話の接続を行う呼出信号（リンギング信号）と、データ伝送の接続を行う呼出信号のパターンを明確に区別するために、中断時間（ポーズ）の長い（たとえば、３秒以上１０秒以下）１秒オンの呼出信号（リンギング信号）を発生させて接続を行う場合は、データ収集に必要となる時間が必然的に長くなる。したがって、高速のデータ伝送を行う監視・計測の対象にこの接続方法を利用することは必ずしも適当ではないが、たとえば、温湿度測定システムや集中検針システムのような、データ収集に高速性を要求されないデータ収集システムの構築には非常に有効である。
【００３５】
【発明の効果】
以上説明したように、請求項１又は３記載の本発明によれば、図８に示されるようなデータ専用交換機を別に設置する必要がないし、被呼側の電話機接続状態にて、電話構内交換機からの呼出信号を使用するようにして、被呼側で呼出信号を発生する必要がないことから、電話構内交換機の回線を用いたデータ収集システム又は回線接続装置を経済的且つ容易に構築することができる。
【００３６】
また、請求項２記載の本発明によれば、被呼側が無条件で応答せず、電話機接続状態では電話機の応答を検出するようにしたから、電話構内交換機の電話転送機能の使用にも不都合を生じないようにすることができる。
【図面の簡単な説明】
【図１】本発明の実施の一形態である、電話構内交換機の回線を用いたデータ収集システムの回線接続方法に基づくシステム構成の一例を示す図である。
【図２】図１における回線接続装置のブロック図である。
【図３】図１のシステム構成により図２の回線接続装置を用いて行う、通話のための回線の自動切替動作を説明するタイムチャートである。
【図４】図１のシステム構成により図２の回線接続装置を用いて行う、データ伝送のための回線の自動切替動作を説明するタイムチャートである。
【図５】通話の場合の回線接続動作を説明するフローチャートである。
【図６】データ伝送の場合の回線接続動作の一部を説明するフローチャートである。
【図７】データ伝送の場合の回線接続動作の図６の続きを説明するフローチャートである。
【図８】電話構内交換機において、電話回線を共用して電話交換とデータ交換とを行うデータ収集システムの従来の中継方式を示す図である。
【図９】電話構内交換機において、電話回線を共用して電話交換とデータ交換とを行うデータ収集システムの従来の中継方式を示す図である。
【符号の説明】
ＣＯＮ１〜３  回線接続装置
ＣＰＵ  マイクロコンピュータ
ｄ  接点
ＤＣ  データ収集センター
ＤＴ１，ＤＴ２  データ端末器
ＩＦ  インターフェース
ＩＯ  入出力端子
Ｌ  回線端子
ＭＯＤ  変復調装置
ＯＦ  電話機側オフフック検出回路
Ｐ  電話機端子
ＰＢＸ  電話構内交換機
ＲＤ  呼出信号検出回路
ＴＥＬ１〜３  電話機
ＰＷ  オフフック検出用電源
Ｔ  データ側オフフックトランス
ｘ  接点
【図１】
0003625644.tif 000002
【図２】
0003625644.tif 000003
【図３】
0003625644.tif 000004
【図４】
0003625644.tif 000005
【図５】
0003625644.tif 000006
【図６】
0003625644.tif 000007
【図７】
0003625644.tif 000008
【図８】
0003625644.tif 000009
【図９】
0003625644.tif 000010